(57)【要約】【課題】  長期に亘って正常な葺設状態を保ち得ることはもとより、日本瓦の伝統的風貌や、運搬等の便宜を損なうことなく、安全で容易な葺設作業を行うことができる日本瓦の提供。【解決手段】  瓦長方向に連なる凸部１と凹部２とが横並びに連結し断面がへの字状となる様に成形された日本瓦において、前記凸部１における棟側の表面に、葺設の際に棟側の隣接瓦の軒側端面が掛かる突起部３を備えると共に、前記凸部１における棟側の裏面に、当該瓦を重ねた際に前記突起部３が収まる陥没部４を備える日本瓦。【選択図】      図１
2005146598.tif 000002
【特許請求の範囲】
【請求項１】
瓦長方向に連なる凸部（１）と凹部（２）とが横並びに連結し断面がへの字状となる様に成形された日本瓦において、前記凸部（１）における棟側の表面に、葺設の際に棟側の隣接瓦の軒側端面が掛かる突起部（３）を備えると共に、前記凸部（１）における棟側の裏面に、当該瓦を重ねた際に前記突起部（３）が収まる陥没部（４）を備える日本瓦。
【請求項２】
前記突起部（３）の高さを当該日本瓦における軒側端面（５）の厚み程度とした前記請求項１に記載の日本瓦。
【発明の詳細な説明】
【技術分野】
【０００１】
本発明は、瓦の断面がへの字状となる様に波打った形状を持つ日本瓦に関するものであって、特に葺設後のズレ等を防止する構造に関するものである。
【背景技術】
【０００２】
日本瓦（以下、瓦と記す。）は、従来より野地板へふき足の間隔で打ち付けた瓦桟に、各瓦の上部下面の掛止部を掛け、瓦のなじみをよくするべくふき土を入れることによって正常な葺設状態を維持している。瓦は、軒部から棟部へと順に葺設していくために、屋根の棟部において寸法が詰まると瓦の上部を裁断する必要が生じることがある。その他、傾斜した二つの屋根面の交差部においても斜めの裁断が施されるなどにより、前記掛止部の全部又は一部が取り除かれて正常な付設状態の長期維持が困難となることが多かった。尚、その様な問題点が生じやすい箇所を、図５の網掛け部として例示した。
【０００３】
そこで、例えば、所謂掛けさんがわらの様に瓦の対角部分に切り込み部を設け、斜め上下に隣接する二つの瓦の切り込み部を互いに掛け合わせて瓦のズレを防止する構造（図６参照）が一般的に採られているが、依然、一枚の瓦の片側のみの支持に止まることから、特許文献１の様に、別途固定具を隣接する瓦の隙間に装着して正常な葺設状態の維持を図っていた。
【特許文献１】特開２００１−１１５６０５号公報
【発明の開示】
【発明が解決しようとする課題】
【０００４】
しかしながら、上記のごとく、別途固定具を装着する作業は極めて煩雑であり、足下が滑りやすい高所において種々の道具が散在しやすく、或いはそれらが落下しやすい状態となることは、作業の安全性の面から見ても好ましいことではない。また、従来の瓦に対して掛止部たる働きを狙った機能的構造を無秩序に加えることは、日本瓦としての風貌を保つ上でも、運搬の便宜の上でも避けるべきであろうと考えられる。
【０００５】
本発明は、この様な実情に鑑みて為されたものであって、長期に亘って正常な葺設状態を保ち得ることはもとより、日本瓦の伝統的風貌や、運搬等の便宜を損なうことなく、安全で容易な葺設作業を行うことができる日本瓦の提供を目的とする。
【課題を解決するための手段】
【０００６】
上記課題を解決すべく為された本発明による日本瓦は、瓦長方向に連なる凸部と凹部とが横並びに連結し断面がへの字状となる様に成形された日本瓦において、前記凸部における棟側の表面に、葺設の際に棟側の隣接瓦の軒側端面が掛かる突起部を備えると共に、前記凸部における棟側の裏面に、当該瓦を重ねた際に前記突起部が収まる陥没部を備えることを特徴とする。尚、前記突起部の高さは、当該瓦における軒側端面の厚み程度とすることが、有効な掛止強度の確保と前記陥没部形成における便宜（日本瓦の風合い維持及び強度維持）の双方を満足する点で望ましい。
【発明の効果】
【０００７】
前記日本瓦において、前記凸部における棟側の表面に、葺設の際に棟側の隣接瓦の軒側端面が掛かる突起部を備える構造によって、別途固定具を用いるといった煩雑な作業を伴わずに長期に亘って正常な葺設状態を保ことが出来る。また、前記凸部における棟側の裏面に、前記突起部が収まる広さの陥没部を備える構造によって、運搬時において前記突起部が瓦を積み重ねる際の障害とならないばかりか、当該突起部とそれが収まる陥没部が同じ位置の表裏に存在することによって、複数枚の積み重ねが容易となり、且つそのズレ止め作用をも奏することとなる。しかも、前記表面に現れる突起部は、前記凸部における棟側の表面であって、葺設の際に棟側の隣接瓦の軒側端面が掛かる位置に限局的に設けられることによって、日本瓦の伝統的風貌を損なうことなく、雨水等の流通をも損なうことがない。
【発明を実施するための最良の形態】
【０００８】
以下、本発明による日本瓦の実施の形態を図面に基づき説明する。
図１乃至図４に示す例は、瓦長方向に連なる凸部１と凹部２とが横並びに連結し断面がへの字状となる様に成形された粘土を焼き上げてなる日本瓦であって、ふき足の間隔で打ち付けた瓦桟に掛かる掛止爪６を当該瓦の上部下面に備えると共に、瓦における凸部１の上隅と凹部２の下隅からなる対角部分に、斜め上下に隣接する二つの瓦の切り込み部７と互いに掛かり合う切り込み部７を備えた掛けさんがわらの一つである。
【０００９】
当該例の前記凸部１における棟側の表面には、図１及び図２のごとく、葺設の際に棟側の隣接瓦の軒側端面が掛かる突起部３を備えてある。当該突起部３は、半ドーム状を呈し、棟側の半分が切り欠かれることによって、その断面が瓦の表面に対して垂直に起立する掛止面８が形成されている。当該突起部３においては、この掛止面８の部分、即ち、前記棟側の隣接瓦の軒側端面５が当接する部分が最も高くなる様に形成されている。
【００１０】
当該例における前記掛止面８の部分の高さは、当該瓦における軒側端面５の厚みとほぼ等しく設定されているが、葺設作業時における滑り止め足がかりとしての機能を持たせようとする場合には、前記軒側端面５の厚みよりも僅かに高く設定したり、半ドーム状の突起部３の表面に線や点を刻設する形で滑り止めの粗面部を設けたりしても良い。
【００１１】
また、前記凸部１における棟側の裏面には、前記突起部３の少なくとも先端部が収まる広さの陥没部４が設けてあり、前記突起部３の存在が、図３及び図４の如く積み重ねて束ねる際にがたつきやズレを招来する障害物とならないようにされ、当該瓦を運搬する際の便宜をも図られている。
【００１２】
そもそも、日本瓦における前記凸部１及び凹部２は、当該瓦が屋根の葺設された際には、当該屋根の傾斜に沿ってそれぞれ尾根及び谷を形成し、当該尾根は隣接する瓦における凹部２の側方終端部を覆って雨水等の進入を防ぎ、前記谷は雨水等を集めて下方に隣接する瓦の谷へ誘導して屋根面における雨水等の排除機能を高めるものである。
【００１３】
前記突起部３の形成位置を凸部１における棟側の表面の一部に限定することによって、これら凸部１及び凹部２が持つ従来からの機能を損なうことなく、突起部３を持つ新たな構造によるズレ止め効果及び滑り止め効果を加えて得られることとなった。
【００１４】
また、当該例では、図２の如く凸部１の下端面が下位の瓦の突起部３によって下から支えられると共に、図１の如く凹部２の下隅部に設けられた切り込み部７が、下位の瓦の凸部１の上隅に設けられた切り込み部７に掛かって下から支えられることにより、瓦桟に掛かる掛止爪６の支持効果とも相俟って、各瓦の上部のみならず下部もがバランス良く支持され、その支持強度も格段に高いものとなる。
【産業上の利用可能性】
【００１５】
本発明による日本瓦を用いることによって、葺設作業の効率並びに安全性が高まり、その結果、納期の短縮並びに工数の削減が可能となり、高品質で安価な建築物の提供に寄与することとなる。
【図面の簡単な説明】
【００１６】
【図１】本発明による日本瓦の一例を示す三面図である。
【図２】図１に示す日本瓦の葺設状態の一例を示す要部説明図である。
【図３】本発明による日本瓦の積み重ね状態の一例を示す正面から見た説明図である。
【図４】本発明による日本瓦の積み重ね状態の一例を示す側方から見た説明図である。
【図５】従来からの日本瓦の葺設態様の一例を示す説明図である。
【図６】従来の日本瓦の一例を示す三面図である。
【符号の説明】
【００１７】
１  凸部，２  凹部，３  突起部，４  陥没部，５  軒側端面，６  掛止爪，
７切り込み部，８  掛止面，
【図１】
2005146598.tif 000003
【図２】
2005146598.tif 000004
【図３】
2005146598.tif 000005
【図４】
2005146598.tif 000006
【図５】
2005146598.tif 000007
【図６】
2005146598.tif 000008